(57)【要約】【課題】内箱から外箱への熱リークを小さくすることで冷却時の使用電力の量を小さくする。【解決手段】外箱１を内側に曲げて形成した外箱フランジ２と、内箱４のフランジとの接続を行なう接続枠３により外箱フランジ２と内箱４のフランジとの距離を大きく保ち、その間の空間に断熱材５を充填することで庫内冷却時に接続枠表面温度が断熱材５を介して外箱フランジ２へと伝導する度合いを小さくできることで、熱リークが少なくなり、冷却時の使用電力の量を小さくすることができる。【選択図】図１
2005134069.tif 000002
【特許請求の範囲】
【請求項１】
前面が開口した断熱箱体と断熱扉で構成された貯蔵室を有する冷蔵庫において、前記断熱箱体は外箱と内箱と各々を接続する接続枠とを備え、前記外箱と前記接続枠は充填される断熱材の内部で接続され、その接続位置は前記断熱扉に設けたパッキンが前記断熱箱体の前面開口面に当接する位置よりも庫外側に離れていることを特徴とする冷蔵庫。
【請求項２】
接続枠と接続する外箱フランジの位置を外箱に接触するパッキンの外周側に設けた請求項１に記載の冷蔵庫。
【請求項３】
接続枠はＬ字形状にして、接続枠と外箱の固定のために前記外箱フランジに接続枠を差込み、さらに接続枠と外箱の接触する面を両面テープで固定した請求項１または２に記載の冷蔵庫。
【請求項４】
接続枠と接続する外箱フランジは、前記パッキンより庫内側の位置で折り返して、接続枠表面からの距離を大きく保てるところでさらに内箱側へ曲げて接続端となる形状とした請求項１から３のいずれか１項に記載の冷蔵庫。
【請求項５】
接続枠は内側にマグネットを挿入できる形状とし、接続枠に前記パッキンが吸着できるようにした請求項１から４のいずれか一項に記載の冷蔵庫。
【発明の詳細な説明】
【技術分野】
【０００１】
本発明は、断熱性を高めた冷蔵庫に関するものである。
【背景技術】
【０００２】
従来、この種の冷蔵庫はドアパッキンより内側で接続枠と外箱フランジを固定している（例えば、特許文献１参照）。
【０００３】
図６は、特許文献１に記載された従来の冷蔵庫を示すものである。図６に示すように、外箱開口部に設けられたドアに取り付けられたドアパッキン１１の内側に、外箱に設けられた外箱フランジ１２と、外箱と内箱を接続するための接続枠１３と、外箱と内箱の間の空間に充填した断熱材１４とから構成されている。
【特許文献１】特開平１０−２７４４６９号公報
【発明の開示】
【発明が解決しようとする課題】
【０００４】
しかしながら、前記従来の構成では、冷蔵庫内が冷却されている場合、ドアパッキン１１から庫内側は冷却されることとなり、冷却された接続枠１３の表面温度は直接外箱フランジ１２に熱伝導し、庫外へ熱リークすることで断熱効果が悪くなり、冷却するための電力量が増えるという課題を有していた。
【０００５】
本発明は、前記従来の課題を解決するもので、内箱から外箱への熱リークを小さくすることで冷却のための使用電力の量を小さくした冷蔵庫を提供することを目的とする。
【課題を解決するための手段】
【０００６】
前記従来の課題を解決するために、本発明の冷蔵庫は、外箱フランジと接続枠表面との距離を大きく保ち、その間の空間に断熱材を充填したものである。
【０００７】
これによって、冷却された接続枠表面温度が断熱材を介して外箱フランジへと伝導する度合いを小さくできる。
【０００８】
また、本発明の冷蔵庫は、外箱フランジの位置を外箱に接触するドアパッキンの外周側に設けたものある。
【０００９】
これによって、外箱フランジは冷蔵庫外の周囲温度により暖められ、外箱表面温度を周囲温度と同等にすることができ、外箱の結露を防止できる。
【００１０】
また、本発明の冷蔵庫は、接続枠をＬ字形状にして、外箱フランジに接続枠を差込み、さらに接続枠と外箱の接触する面を両面テープで固定したものである。
【００１１】
これによって、製造工程において断熱材を充填する際に、接続枠と外箱の間からの断熱材漏れを防止できる。
【００１２】
また、本発明の冷蔵庫は、外箱フランジをドアパッキンより庫内側の位置で折り返して、接続枠表面からの距離を大きく保てるところでさらに内箱側へ曲げて接続枠に固定できるような形状にしたものである。
【００１３】
これによって、ドアパッキンが外箱に吸着できるだけの外箱表面積を保ちながら、外箱フランジと接続枠表面の距離を大きく保つことができる。
【００１４】
また、本発明の冷蔵庫は、接続枠の内側にマグネットを挿入できる形状とし、接続枠に前記ドアパッキンが吸着できるようにしたものである。
【００１５】
これによって、外箱フランジの形状を簡素化できる。
【発明の効果】
【００１６】
本発明の冷蔵庫は、内箱から外箱への熱リークを小さくすることで使用電力の量を小さくすることができる。
【発明を実施するための最良の形態】
【００１７】
請求項１に記載の発明は、前面が開口した断熱箱体と断熱扉で構成された貯蔵室を有する冷蔵庫において、前記断熱箱体は外箱と内箱と各々を接続する接続枠とを備え、前記外箱と前記接続枠は充填される断熱材の内部で接続され、その接続位置は前記断熱扉に設けたパッキンが前記断熱箱体の前面開口面に当接する位置よりも庫外側に離れていることにより、冷却された接続枠表面温度が断熱材を介して外箱フランジへと伝導する度合いを小さくでき、熱リークを小さくすることで冷却のための使用電力の量を小さくできる。
【００１８】
請求項２に記載の発明は、請求項１に記載の発明の冷蔵庫で、外箱フランジの位置を外箱に接触するパッキンの外周側に設けたことにより、外箱フランジは冷蔵庫外の周囲温度により暖められ、外箱表面温度を周囲温度と同等にすることができ、外箱の結露を防止できる。
【００１９】
請求項３に記載の発明は、請求項１または２に記載の発明の冷蔵庫で、接続枠はＬ字形状にして、接続枠と外箱の固定のために前記外箱フランジに接続枠を差込み、さらに接続枠と外箱の接触する面を両面テープで固定したことにより、製造工程において断熱材を充填する際に、接続枠と外箱の間からの断熱材漏れを防止ことができる。
【００２０】
請求項４に記載の発明は、請求項１から３に記載の発明の冷蔵庫で、外箱フランジは、前記パッキンより庫内側の位置で折り返して、接続枠表面からの距離を大きく保てるところでさらに内箱側へ曲げた形状にしたことにより、パッキンが外箱に吸着できるだけの外箱表面積を保ちながら、外箱フランジと接続枠表面の距離を大きく保つことができる。
【００２１】
請求項５に記載の発明は、接続枠は内側にマグネットを挿入できる形状とし、接続枠にパッキンが吸着できるようにすることで、外箱フランジの形状を簡素化できる。
【００２２】
以下、本発明の実施の形態について、図面を参照しながら説明する。なお、この実施の形態によって本発明が限定されるものではない。
【００２３】
（実施の形態１）
図１は、本発明の実施の形態１における冷蔵庫の断面図を示すものである。
【００２４】
図１において、外箱１を内側に曲げて形成した外箱フランジ２は、押出し成型された樹脂製の接続枠３に差し込まれて固定されたものであり、外箱１と内箱４の間の空間に断熱材５を充填したことにより冷蔵庫の本体を構成している。
【００２５】
以上のように構成された冷蔵庫について、以下その動作、作用を説明する。
【００２６】
まず、冷蔵庫内を冷却すると、接続枠３の表面が冷却され、熱伝導により外箱フランジ２も冷却されるが、接続枠３の表面と外箱フランジ２の距離をあけて、その空間に断熱材５を充填することにより外箱フランジ２への熱伝導の度合いが小さくなる。
【００２７】
以上のように、本実施の形態においては外箱１に設けられた外箱フランジ２と、外箱１と内箱４を接続するための接続枠３と、外箱１と内箱４の間の空間に充填した断熱材５と、外箱開口部に設けられたドアに取り付けられたドアパッキン６とを備え、前記外箱フランジ２は接続枠表面との距離を大きく保ち、その間の空間に断熱材５を充填したことにより、冷却された接続枠表面温度が断熱材を介して外箱フランジ２へと伝導する度合いを小さくでき、熱リークを小さくすることで冷却のための使用電力の量を小さくできる。
【００２８】
（実施の形態２）
図２は、本発明の実施の形態２の冷蔵庫の断面図を示すものである。
【００２９】
図２において、冷蔵庫のドアに取付けられたドアパッキン６は外箱１の開口部に接したものであり、外箱フランジ２はドアパッキン６の外周部に設けて冷蔵庫の本体を構成している。
【００３０】
以上のように構成された冷蔵庫について、以下その動作、作用を説明する。
【００３１】
まず、冷蔵庫内を冷却すると、接続枠３の表面が冷却され、熱伝導により外箱フランジ２も冷却されるが、外箱フランジ２がドアパッキン６の外周部に設けてある場合、外箱フランジ２は冷蔵庫外の周囲温度により暖められることで、外箱表面温度を周囲温度と同等にすることができる。
【００３２】
以上のように、本実施の形態においては外箱フランジの位置を外箱に接触するドアパッキンの外周側に設けたことにより、外箱フランジは冷蔵庫外の周囲温度により暖められ、外箱表面温度を周囲温度と同等にすることができ、外箱の結露を防止できる。
【００３３】
（実施の形態３）
図３は、本発明の実施の形態３の冷蔵庫の断面図を示すものである。
【００３４】
図３において、接続枠３はＬ字形状に成型され、外箱１の内側の面と接触する面４とを両面テープ７で固定したものであり、製造工程において断熱材５を充填する際に、接続枠３と外箱１の間をシールできる。
【００３５】
以上のように、本実施の形態においては接続枠はＬ字形状にして、接続枠と外箱の固定のために前記外箱フランジに接続枠を差込み、さらに接続枠と外箱の接触する面を両面テープで固定したことにより、製造工程において断熱材を充填する際に、接続枠と外箱の間からの断熱材漏れを防止ことができる。
【００３６】
（実施の形態４）
図４は、本発明の実施の形態４の冷蔵庫の断面図を示すものである。
【００３７】
図４において、外箱フランジ２はドアパッキン６より庫内側の位置で折り返して接続枠表面からの距離を大きく保てるところで内箱側へ曲げて接続枠３に固定したものである。
【００３８】
以上のように構成された冷蔵庫について、以下その動作、作用を説明する。
【００３９】
まず、外箱フランジ２をドアパッキン６より庫内側の位置で折り返し８をつけたことで、外箱に接するドアパッキンの必要吸着面積９が確保できる。また、さらにこれにより内箱側へ外箱フランジ２を曲げる位置を接続枠３の表面から離れた位置に形成できる。
【００４０】
以上のように、本実施の形態においては外箱フランジ２は、ドアパッキン６より庫内側の位置で折り返して、接続枠表面からの距離を大きく保てるところでさらに内箱側へ曲げた形状にしたことにより、ドアパッキン６が外箱に吸着できるだけの必要吸着面積を確保しながら、外箱フランジと接続枠表面の距離を大きく保つことができる。
【００４１】
（実施の形態５）
図５は、本発明の実施の形態５の冷蔵庫の断面図を示すものである。
【００４２】
図５において、樹脂製の接続枠３は外箱１のドア取付け面に固定し、ドアパッキン６が接する接続枠３の裏面にマグネット１０を取付けたものである。
【００４３】
以上のように構成された冷蔵庫について、以下その動作、作用を説明する。
【００４４】
まず、樹脂製の接続枠３を外箱のドア取付け面に固定することで外箱１の形状を簡素化できる。また、樹脂製の接続枠３にマグネット１０を取付けることで、ドアパッキン６が吸着できるようになる。
【００４５】
以上のように、本実施の形態においては接続枠３は内側にマグネットを挿入できる形状とし、接続枠３にドアパッキンが吸着できるようにすることで、外箱フランジの形状を簡素化できる。
【産業上の利用可能性】
【００４６】
以上のように、本発明にかかる冷蔵庫は、熱リークを小さくすることで省エネルギーを実現することが可能となるので、店舗用のショーケースの省エネルギー化等の用途にも適用できる。
【図面の簡単な説明】
【００４７】
【図１】本発明の実施の形態１における冷蔵庫の断面図
【図２】本発明の実施の形態２における冷蔵庫の断面図
【図３】本発明の実施の形態３における冷蔵庫の断面図
【図４】本発明の実施の形態４における冷蔵庫の断面図
【図５】本発明の実施の形態５における冷蔵庫の断面図
【図６】従来の冷蔵庫の断面図
【符号の説明】
【００４８】
１    外箱
２、１２    外箱フランジ
３、１３    接続枠
４    内箱
５、１４    断熱材
６、１１    ドアパッキン
７    両面テープ
８    折り返し
９    ドアパッキンの必要吸着面
１０    マグネット
【図１】
2005134069.tif 000003
【図２】
2005134069.tif 000004
【図３】
2005134069.tif 000005
【図４】
2005134069.tif 000006
【図５】
2005134069.tif 000007
【図６】
2005134069.tif 000008